(57)【要約】      （修正有）【課題】携帯と収納が容易で、頭部と頸部を有効に保護でき、有毒ガスが入りにくく、必要のないガスを排出でき、安全性が高い緊急用防煙マスクを提供する。【解決手段】緊急用防煙マスク１００は、前フルフェイスマスク１１及び後フルフェイスマスク１２で組み立てられるフルフェイスマスク１と、前フルフェイスマスクの底部から延ばされた前片状保護部１３と、後フルフェイスマスクの底部から延ばされた後片状保護部１４と、開け口１０と、開け口に設けられる耐熱弾性頸部カバーと、前フルフェイスマスクに設けられ、使用者の目に対応する耐熱透明フィルム３と、耐熱透明フィルムの下に設けられ、使用者の鼻に対応するろ過部４と、ろ過部の下に設けられ、使用者の口に対応する排気装置５とを備える。【選択図】図１
0003228828.tif 000002
【実用新案登録請求の範囲】
【請求項１】
前フルフェイスマスク及び当該前フルフェイスマスクに対応する後フルフェイスマスクで組み立てられ、且つフルフェイスマスクの左側、右側及び頂部側を縫い合うことで底部に形成される開け口を備える当該フルフェイスマスクと、
当該開け口に設けられ、且つ孔を備えることで使用者の頭部を通過した後に頸部に固定され、周辺に当該フルフェイスマスクに縫い合われる耐熱弾性頸部カバーと、
当該前フルフェイスマスクに設けられ、使用者の目に対応する耐熱透明フィルムと、
当該前フルフェイスマスクで、且つ当該耐熱透明フィルムの下に設けられ、使用者の鼻に対応するろ過部と、
当該前フルフェイスマスクで、且つ当該ろ過部の下に設けられ、使用者の口に対応する排気装置とを備えることを特徴とする緊急用防煙マスク。
【請求項２】
前記フルフェイスマスクの底部には、前記前フルフェイスマスクの底部から延ばされた前片状保護部と、前記後フルフェイスマスクの底部から延ばされた後片状保護部とを備えることを特徴とする請求項１に記載の緊急用防煙マスク。
【請求項３】
前記前フルフェイスマスク及び前記後フルフェイスマスクは、難燃性接着剤で防炎層と高可視性フィルムが一体成型で結合される構造を備えることを特徴とする請求項２に記載の緊急用防煙マスク。
【請求項４】
前記排気装置は、前記フルフェイスマスクに設けられ、且つ少なくとも一つの通気孔を備える固定部と、当該前フルフェイスマスクの外側に設けられて当該固定部と結合され、且つ少なくとも一つの排気口を備える排気カバーと、当該固定部と当該排気カバーとの間に設けられる逆止弁とを備えることを特徴とする請求項１に記載の緊急用防煙マスク。
【請求項５】
前記固定部内に気体が通過するための放射状の支え部と、当該支え部の中央に設けられ、且つ前記逆止弁が位置決められるための位置決め突起が設けられ、前記排気カバーの当該位置決め突起に対応する位置に、さらに当該位置決め突起と互いに噛み合う柱孔が設けられることで、当該逆止弁の内縁が前記排気装置の中央に位置決めされ、当該逆止弁の外縁が弾性を備える自由端であることを特徴とする請求項４に記載の緊急用防煙マスク。
【請求項６】
前記前フルフェイスマスクの前記耐熱透明フィルムに対応する位置、前記ろ過部に対応する位置及び前記排気装置に対応する位置に、それぞれに第一開け口、第二開け口及び第三開け口が設けられ、当該第一開け口の内縁に当該耐熱透明フィルムと配合される補強フレームが設けられることを特徴とする請求項１に記載の緊急用防煙マスク。
【請求項７】
前記緊急用防煙マスクの前記前片状保護部及び前記排気装置の下に前反射部が横設され、前記後片状保護部に後反射部が横設されることを特徴とする請求項２に記載の緊急用防煙マスク。
【請求項８】
前記ろ過部が、棉布層、活性炭層、帯電不織布層、第一PP不織布、活性炭層、第二PP不織布及び防炎布で内側から外側に互いに畳んで、縁を縫うことで完成されることを特徴とする請求項１に記載の緊急用防煙マスク。
【請求項９】
前記ろ過部が、第一PP不織布、活性炭層、帯電不織布層、第二PP不織布、活性炭層及び防炎布で内側から外側に互いに畳んで、縁を縫うことで完成されることを特徴とする請求項１に記載の緊急用防煙マスク。
【考案の詳細な説明】
【技術分野】
【０００１】
本考案は、安全性の高い緊急用防煙マスクに関する。
【背景技術】
【０００２】
資料により、火事に亡くなる人々の中に、60％以上の人は煙で亡くなり、大量の煙や有毒ガスを吸い込み、意識を失い、死に至る。
【０００３】
火事現場の煙は様々な物質を有し、さらにＨＣＮ、ＨＳ、ＣＯなどの有毒ガスも有し、その中に一番危険なのは一酸化炭素であり、一般的な建材が燃焼されたことで発生した一酸化炭素の濃度は約2.5％であり、しかし、一酸化炭素の濃度は1.3％になる場合に、人は吸い込んだ後に、体内の赤血球は酸素運搬能を失うことで、意識を失い、死に至ることになり、故に一酸化炭素はもっとも危険なことである。
【０００４】
火事現場に最も有効な避難道具は防煙マスクであるが、旧式のマスクは確実に着用できず、着用中に可視性が悪い、厚さが不足で耐熱性が悪い、ろ過の効果が悪い、排気機能が良くないなどの欠点により、避難しにくくなる。
【考案の概要】
【考案が解決しようとする課題】
【０００５】
そこで、上記の問題点に対して、緊急用防煙マスクを提供することが本考案の課題となる。
【課題を解決するための手段】
【０００６】
前記問題点を解決でき、上記目的を達成するために、本考案の緊急用防煙マスクは、
前フルフェイスマスク及び当該前フルフェイスマスクに対応する後フルフェイスマスクで組み立てられ、且つフルフェイスマスクの左側、右側及び頂部側を縫い合うことで底部に形成される開け口を備える当該フルフェイスマスクと、
当該開け口に設けられ、且つ孔を備えることで使用者の頭部を通過した後に頸部に固定され、周辺に当該フルフェイスマスクに縫い合われる耐熱弾性頸部カバーと、
当該前フルフェイスマスクに設けられ、使用者の目に対応する耐熱透明フィルムと、
当該前フルフェイスマスクで、且つ当該耐熱透明フィルムの下に設けられ、使用者の鼻に対応するろ過部と、
当該前フルフェイスマスクで、且つ当該ろ過部の下に設けられ、使用者の口に対応する排気装置と、
を備えることを要旨とする。
【０００７】
前記フルフェイスマスクの底部には、前記前フルフェイスマスクの底部から延ばされた前片状保護部と、前記後フルフェイスマスクの底部から延ばされた後片状保護部とを備えることが好ましい。
【０００８】
前記前フルフェイスマスク及び前記後フルフェイスマスクは、難燃性接着剤で防炎層と高可視性フィルムが一体成型で結合される構造を備えることが好ましい。
【０００９】
前記排気装置は、前記フルフェイスマスクに設けられ、且つ少なくとも一つの通気孔を備える固定部と、当該前フルフェイスマスクの外側に設けられて当該固定部と結合され、且つ少なくとも一つの排気口を備える排気カバーと、当該固定部と当該排気カバーとの間に設けられる逆止弁とを備えることが好ましい。
【００１０】
前記固定部内に気体が通過するための放射状の支え部と、当該支え部の中央に設けられ、且つ前記逆止弁が位置決められるための位置決め突起が設けられ、前記排気カバーの当該位置決め突起に対応する位置に、さらに当該位置決め突起と互いに噛み合う柱孔が設けられることで、当該逆止弁の内縁が前記排気装置の中央に位置決めされ、当該逆止弁の外縁が弾性を備える自由端であることが好ましい。
【００１１】
前記前フルフェイスマスクの前記耐熱透明フィルムに対応する位置、前記ろ過部に対応する位置及び前記排気装置に対応する位置に、それぞれに第一開け口、第二開け口及び第三開け口が設けられ、当該第一開け口の内縁に当該耐熱透明フィルムと配合される補強フレームが設けられることが好ましい。
【００１２】
前記緊急用防煙マスクの前記前片状保護部及び前記排気装置の下に前反射部が横設され、前記後片状保護部に後反射部が横設されることが好ましい。
【００１３】
前記ろ過部が、棉布層、活性炭層、帯電不織布層、第一PP不織布、活性炭層、第二PP不織布及び防炎布で内側から外側に互いに畳んで、縁を縫うことで完成されることが好ましい。
【００１４】
前記ろ過部が、第一PP不織布、活性炭層、帯電不織布層、第二PP不織布、活性炭層及び防炎布で内側から外側に互いに畳んで、縁を縫うことで完成されることが好ましい。
【考案の効果】
【００１５】
本考案は、従来の技術と比べて、次に列挙する効果がある。
１．本考案は、フルフェイスマスク、耐熱弾性頸部カバー、ろ過部及び排気装置の組合により、携帯する及び収納することが容易になり、フルフェイスマスクで使用者の頭部及び頸部を有効に保護でき、有毒ガスが入りにくくなり、人間工学に基づいて、着用中にも順調に空気を吸い込み、必要のないガスを排出することができる。
２．前反射部及び後反射部で、より容易に発見されるようになり、安全性が高くなり、使用者の生存率が高くなる。
【図面の簡単な説明】
【００１６】
【図１】本考案を示す斜視図
【図２】本考案を示す分解斜視図
【図３】本考案のろ過部の実施例１を示す断面図
【図４】本考案のろ過部の実施例２を示す断面図
【図５】本考案の実施例を示す断面図
【図６】使用者は吸い込む場合の図５のＡの実施状況を示す断面図
【図７】使用者は吐き出す場合の図５のＡの実施状況を示す断面図
【考案を実施するための形態】
【００１７】
以下、本考案の実施の形態について、図面を参照して詳細に説明する。
【００１８】
図１、図４、図５、図６及び図７に示すように、前フルフェイスマスク１１及び当該前フルフェイスマスク１１に対応する後フルフェイスマスク１２で組み立てられるフルフェイスマスク１の底部には、当該前フルフェイスマスク１１の底部から延ばされた前片状保護部１３と、当該後フルフェイスマスク１２の底部から延ばされた後片状保護部１４とを備える、且つ当該前片状保護部１３の底部と、当該後片状保護部１４の底部との間に形成される開け口１０を備える当該フルフェイスマスク１００と、当該開け口１０に設けられ、且つ孔を備えることで使用者の頭部を通過した後に頸部に固定され、周辺に当該フルフェイスマスク１００に縫い合われる耐熱弾性頸部カバー２と、当該前フルフェイスマスク１１に設けられ、使用者の目に対応する耐熱透明フィルム３と、当該前フルフェイスマスク１１で、且つ当該耐熱透明フィルム３の下に設けられ、使用者の鼻に対応するろ過部４と、当該前フルフェイスマスク１１で、且つ当該ろ過部４の下に設けられ、使用者の口に対応する排気装置５とを備える。
【００１９】
前記前フルフェイスマスク１１及び前記後フルフェイスマスク１２の配合により、前記フルフェイスマスク１が容易に収納されるようになり、且つ折り畳むことで体積が小さくなり、スペースを閉めないようになり、容易に携帯するようになり、前記前片状保護部１３及び前記後片状保護部１４で頸部が覆われ、使用者の頸部が高熱から保護され、当該フルフェイスマスク１が展開されると底部が立体的になり、使用者の頭部は前記耐熱弾性頸部カバー２の孔を通過した後に頸部に固定され、締められる感じがない、気密性がよい、図５に示すように、有害ガスが孔から進入することが防止される。
【００２０】
また、図６に示すように、前記ろ過部４は使用者の鼻に対応し、前記排気装置５は当該ろ過部４の下にあり、且つ使用者の口に対応し、空気を進入できる範囲が当該排気装置５に影響されず、且つ有効に吸い込むことができる。なお、図７に示すように、当該排気装置５で使用者は不要なガスを吐き出し、意識を持つことができる。
【００２１】
図１に示すように、前記前片状保護部１３及び前記排気装置５の下に前反射部６が横設され、前記後片状保護部１４に後反射部７が横設される。火事現場の視界の悪い状況に、当該前反射部６及び当該後反射部７の反射で、救難隊は短時間で使用者を発見することができる。
【００２２】
その中に、前記フルフェイスマスク１の前記前フルフェイスマスク１１及び前記後フルフェイスマスク１２は、難燃性接着剤で防炎層と高可視性フィルムが一体成型で結合される構造を備えることで、防炎耐熱の効果を備え、可視性が高い、且つ色は赤色、オレンジ色などの蛍光色であることで、視界の悪い状況に、救難隊は容易に使用者を発見するようになる。
【００２３】
図２、図６及び図７に示すように、前記排気装置５は、前記フルフェイスマスク１１に設けられ、且つ少なくとも一つの通気孔５１１を備える固定部５１と、当該前フルフェイスマスク１１の外側に設けられて当該固定部５１と結合され、且つ少なくとも一つの排気口５２１を備える排気カバー５２と、当該固定部５１と当該排気カバー５２との間に設けられる逆止弁５３とを備える。前述の装置により、使用者は順調に空気を吸い込み、必要のないガスを排出することができる。
【００２４】
図２、図６及び図７に示すように、前記固定部５１内に気体が通過するための放射状の支え部５１２と、当該支え部５１２の中央に設けられ、且つ前記逆止弁５３が位置決められるための位置決め突起５１３が設けられ、前記排気カバー５２の当該位置決め突起５１３に対応する位置に、さらに当該位置決め突起５１３と互いに噛み合う柱孔５２２が設けられることで、当該逆止弁５３の内縁が前記排気装置５の中央に位置決めされ、当該逆止弁５３の外縁が弾性を備える自由端である。
【００２５】
その中に、前記支え部５１２は空気の流れを影響せず、構造の安定性を提供し、有効に前記位置決め突起５１３を支え、当該位置決め突起５１３が前記柱孔５２２と配合され、前記逆止弁５３が正常に作動でき、不要なガスが前記フルフェイスマスク１から排出され、前記通気孔５１１から外部の有害ガスが当該フルフェイスマスク１に入ることが防止される。
【００２６】
図１、図２、図６及び図７に示すように、前記前フルフェイスマスク１１の前記耐熱透明フィルム３に対応する位置、前記ろ過部４に対応する位置及び前記排気装置５に対応する位置に、それぞれに第一開け口２０、第二開け口３０及び第三開け口４０が設けられ、当該第一開け口２０の内縁に当該耐熱透明フィルム３と配合される補強フレーム３１が設けられる。前述の三つの開け口により、当該透明フィルム３、当該ろ過部４及び当該排気装置５が順調に当該前フルフェイスマスク１１に設けられ、また、当該補強フレーム３１によって当該耐熱透明フィルム３が固定されることができ、使用者は安全に使用できる。
【００２７】
図３に示すように、前記ろ過部４の第一実施例が、棉布層４１、活性炭層４２、帯電不織布層４３、第一PP不織布４４、活性炭層４５、第二PP不織布４６及び防炎布４７で内側から外側に互いに畳んで、縁を縫うことで完成され、有害ガスのろ過及び防炎の効果を備える。
【００２８】
図４に示すように、前記ろ過部４の第二実施例が、第一PP不織布４４、活性炭層４２、帯電不織布層４３、第二PP不織布４６、活性炭層４５及び防炎布４７で内側から外側に互いに畳んで、縁を縫うことで完成され、有害ガスのろ過及び防炎の効果を備える。
【００２９】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００３０】
１  フルフェイスマスク
１１  前フルフェイスマスク
１２  後フルフェイスマスク
１３  前片状保護部
１４  後片状保護部
２  耐熱弾性頸部カバー
３  耐熱透明フィルム
３１  補強フレーム
４  ろ過部
４１  棉布層
４２  活性炭層
４３  帯電不織布層
４４  第一ＰＰ不織布
４５  活性炭層
４６  第二ＰＰ不織布
４７  防炎布
５  排気装置
５１  固定部
５１１  通気孔
５１２  支え部
５１３  位置決め突起
５２  排気カバー
５２１  排気口
５２２  柱孔
５３  逆止弁
６  前反射部
７  後反射部
１０  開け口
２０  第一開け口
３０  第二開け口
４０  第三開け口
１００  緊急用防炎マスク
【図１】
0003228828.tif 000003
【図２】
0003228828.tif 000004
【図３】
0003228828.tif 000005
【図４】
0003228828.tif 000006
【図５】
0003228828.tif 000007
【図６】
0003228828.tif 000008
【図７】
0003228828.tif 000009